【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
旋回軸において支持フレームに取り付けられた回動部分を備える、直線的に動作する錠剤プレス機のための回動可能に取り付けられた金型アセンブリであって、
前記回動部分は、錠剤を成形する錠剤成形室を有する金型アセンブリを備え、
前記錠剤成形室は、前記錠剤プレス機の直線的に動作するパンチを、前記錠剤成形室を通って延伸する軸に沿って受容する開口端部と、前記開口端部と反対側のスライド床要素を有し、
前記スライド床要素は第１の位置と第２の位置の間で前記軸に沿って直角に移動可能であり、
規制手段が、前記回動部分の回転を前記支持フレームに対する規定の第１の角度位置又は規定の第２の角度位置において選択的に停止するように設けられる、回動可能に取り付けられた金型アセンブリ。
【請求項２】
前記規制手段は、前記支持フレームに設けられた固定された止め具を備える、請求項１に記載の回動可能に取り付けられた金型アセンブリ。
【請求項３】
前記規制手段は、更に少なくとも１つの選択的に係合可能な止め部材を備える、請求項２に記載の回動可能に取り付けられた金型アセンブリ。
【請求項４】
前記選択的に係合可能な止め部材又はその各々は前記支持フレームに設けられる、請求項３に記載の回動可能に取り付けられた金型アセンブリ。
【請求項５】
前記選択的に係合可能な止め部材又はその各々は離脱位置と係合位置との間を移動可能な阻止部を備える、請求項４に記載の回動可能に取り付けられた金型アセンブリ。
【請求項６】
前記選択的に係合可能な止め部材又はその各々は前記阻止部を作動させるための前記阻止部に結合されたレバーを備える、請求項５に記載の回動可能に取り付けられた金型アセンブリ。
【請求項７】
前記選択的に係合可能な止め部材又はその各々の前記阻止部は、係合位置において、前記アセンブリの前記回動部分が前記固定された止め具と選択的に係合可能な止め部材の前記阻止部との間に保持されるような当接面を提供する、請求項５又は６に記載の回動可能に取り付けられた金型アセンブリ。
【請求項８】
選択的に係合可能な止め部材の前記阻止部を受容する１つ又は複数の切欠きが前記回動部分に設けられる、請求項４から７の何れか一項に記載の回動可能に取り付けられた金型アセンブリ。
【請求項９】
前記阻止部と切欠きとの係合は前記回動部分を更なる規定の角度位置に保持する、請求項８に記載の回動可能に取り付けられた金型アセンブリ。
【請求項１０】
単一の選択的に係合可能な止め部材のみが設けられる、請求項３から９の何れか一項に記載の回動可能に取り付けられた金型アセンブリ。
【請求項１１】
前記規制手段は、前記回動部分を前記第１の角度位置及び前記第２の角度位置において保持するように制御されたステッピングモータを備える、請求項１に記載の回動可能に取り付けられた金型アセンブリ。
【請求項１２】
前記ステッピングモータは前記回動部分を少なくとも１つの更なる角度位置で保持するよう更に制御される、請求項１１に記載の回動可能に取り付けられた金型アセンブリ。
【請求項１３】
前記少なくとも１つの更なる角度位置は前記第１の角度位置と前記第２の角度位置の間である、請求項９から１２の何れか一項に記載の回動可能に取り付けられた金型アセンブリ。
【請求項１４】
前記第１の角度位置及び前記第２の角度位置は９０°だけ離間する、請求項１から１３の何れか一項に記載の回動可能に取り付けられた金型アセンブリ。
【請求項１５】
前記回動部分と前記支持フレームの間の回動は、前記錠剤成形室を通って延伸する前記軸及び前記スライド床要素と交差する、請求項１から１４の何れか一項に記載の回動可能に取り付けられた金型アセンブリ。
【請求項１６】
前記回動部分はスロープ床又は溝を備え、前記スロープ床又は溝に沿って前記錠剤成形室内で成形される錠剤が通過可能である、請求項１から１５の何れか一項に記載の回動可能に取り付けられた金型アセンブリ。
【請求項１７】
前記スライド床要素は、前記スライド床要素が第１の位置にある時に前記錠剤成形室とずれており、前記スライド床要素が第２の位置にある時に前記錠剤成形室と一直線になる開口を備える、請求項１から１６の何れか一項に記載の回動可能に取り付けられた金型アセンブリ。
【請求項１８】
前記金型アセンブリは前記旋回軸を介して前記支持フレームに永久的に固定される、請求項１から１７の何れか一項に記載の回動可能に取り付けられた金型アセンブリ。
【請求項１９】
前記回動部分は前記金型アセンブリを受容する取り付け部を備える、請求項１から１７の何れか一項に記載の回動可能に取り付けられた金型アセンブリ。
【請求項２０】
直線的に動作する錠剤プレス機から金型アセンブリを取り付けるための、回動する金型取り付け装置であって、
前記金型取り付け装置は、
支持フレームと、
前記支持フレームに旋回軸で取り付けられて前記金型アセンブリを受容する回動部分と、
を備え、
前記回動部分は前記金型アセンブリの端部へのアクセスを妨害しないように一端が開口しており、
規制手段が、前記支持フレームに対して規定の第１の角度位置又は規定の第２の角度位置において前記回動部分の回転を選択的に停止するように設けられる、回動する金型取り付け装置。
【請求項２１】
直線的に動作する錠剤プレス機、並びに前記錠剤プレス機の直線的に動作するパンチを受容する開口端部を備える錠剤成形室、及び前記開口端部と反対側のスライド床要素を有する金型アセンブリを使用して錠剤を成形する方法であって、
順に、
Ａ）前記錠剤プレス機の前記パンチを作動させ、前記錠剤成形室内に含まれる粉末を前記スライド床要素に対して圧縮するステップと、
Ｂ）前記パンチを前記錠剤成形室から引き抜くステップと、
Ｃ）前記金型アセンブリを第１の角度位置から第２の角度位置へ回転させるステップと、
Ｄ）前記錠剤プレス機の前記パンチを作動させて前記スライド床要素を第１の位置から第２の位置へ移動させるステップと、
を含む錠剤成形方法。
【請求項２２】
Ｅ）前記金型アセンブリを前記第２の角度位置から前記第１の角度位置へ回転させるステップと、
Ｆ）前記錠剤プレス機の前記パンチを作動させて錠剤を前記錠剤成形室から排出するステップと、を更に含み、
前記ステップＥ）及びＦ）は前記ステップＤ）の後に順に行われる、請求項２１に記載の錠剤成形方法。
【請求項２３】
Ｇ）前記金型アセンブリを第３の角度位置へ回転させるステップと、
Ｆ）粉末を前記錠剤成形室の前記開口端部へ投入するステップと、を更に含み、
前記ステップＧ）及びＨ）は前記ステップＡ）の前に順に行われる、請求項２２に記載の錠剤成形方法。
【請求項２４】
前記第３の角度位置は前記第１の角度位置と前記第２の角度位置との間である、請求項２３に記載の錠剤成形方法。
【請求項２５】
前記第１の角度位置及び前記第２の角度位置は９０°だけ離間する、請求項２１から２４の何れか一項に記載の錠剤成形方法。
【請求項２６】
請求項１から２０の何れか一項に記載の回動可能に取り付けられた金型アセンブリを使用して実行される、請求項２１から２５の何れか一項に記載の錠剤成形方法。
【手続補正２】
【補正対象書類名】明細書
【補正対象項目名】発明の名称
【補正方法】変更
【補正の内容】
【発明の名称】回動可能に取り付けられた金型アセンブリ、回動する金型取り付け装置、及び、錠剤成形方法
【手続補正３】
【補正対象書類名】明細書
【補正対象項目名】０００８
【補正方法】変更
【補正の内容】
【０００８】
本発明の目的は、上述の欠点を克服し、比較的単純であるが正確に制御可能な錠剤成形操作を維持する回動可能に取り付けられた金型アセンブリ、回動する金型取り付け装置、及び、錠剤成形方法を提供することにある。
【手続補正４】
【補正対象書類名】明細書
【補正対象項目名】０００９
【補正方法】変更
【補正の内容】
【０００９】
圧縮機構と関連付けられた付勢手段を有する錠剤プレス機は、機構内の遊び／スロップを確実に最小化する。これは、単にモータを規定の角度位置に制御することにより、プレス部材の位置が正確に及び確実に制御されることを確実にする助けとなる。実際、位置制御の許容誤差は０．１μｍの大きさであることが分かった。これはプレス部材の位置を直接測定する別個の位置センサの必要性を回避する。
【手続補正５】
【補正対象書類名】明細書
【補正対象項目名】００２４
【補正方法】変更
【補正の内容】
【００２４】
本発明の一態様は、回動可能に取り付けられた金型アセンブリを提供する。
金型アセンブリは、旋回軸において支持フレームに取り付けられた回動部分を含む。回動部分は、錠剤を成形する錠剤成形室を有する金型アセンブリを含む。錠剤成形室は、錠剤プレス機の直線的に動作するパンチを、錠剤成形室を通って延伸する軸に沿って受容する開口端部と、開口端部と反対側のスライド床要素を有し、スライド床要素は第１の位置と第２の位置の間で軸に沿ってほぼ直角に移動可能であり、規制手段が、回動部分の回転を支持フレームに対する規定の第１の角度位置又は規定の第２の角度位置において選択的に停止するように設けられる。
【手続補正６】
【補正対象書類名】明細書
【補正対象項目名】００３８
【補正方法】変更
【補正の内容】
【００３８】
本発明の一態様によると、回動する金型取り付け装置が提供される。
【手続補正７】
【補正対象書類名】明細書
【補正対象項目名】００４９
【補正方法】変更
【補正の内容】
【００４９】
本発明は、錠剤成形方法を提供する。
その錠剤成形方法は順に、
Ａ）錠剤プレス機のパンチを作動させ、金型アセンブリの錠剤成形室内に含まれる粉末を金型アセンブリのスライド床要素に対して圧縮するステップと、
Ｂ）パンチを錠剤成形室から引き抜くステップと、
Ｃ）金型アセンブリを第１の角度位置から第２の角度位置へ回転させるステップと、
Ｄ）錠剤プレス機のパンチを作動させてスライド床要素を第１の位置から第２の位置へ移動させるステップと、
を含む。